(57)【要約】【課題】眼鏡のレンズ部を確実に保護し、眼鏡の収納及び取り外しが容易であり、ケース本体を他のバッグ等に収納した場合でも破損し難く、ケース本体の収納性能を向上させ、ＴＰＯに応じて眼鏡拭き及び／又はポケットチーフとして使用できるにようにする。【解決手段】ケース本体１は、眼鏡の両レンズを覆うような形状の２枚のシート状部材１１，１２の上辺部に沿った対向面を固着することによって蝶番のように開閉可能に形成される。面ファスナー１４，１５が２枚のシート状部材１１，１２の下辺部の略中央付近であって、２枚のシート状部材の対向面に取り付けられる。眼鏡を収納しない状態では、２枚のシート状部材の重なり合った密着した薄いケースとなる。薄い構成の眼鏡ケース本体に、眼鏡拭き及び／又はポケットチーフとして使用可能な布部材１７，１７Ａ，１７Ｂ，１９，１９Ａを取り付ける。【選択図】  図４
2016093429.tif 000002
【特許請求の範囲】
【請求項１】
眼鏡の両レンズを覆うような形状の２枚のシート状部材の上辺部に沿った対向面を固着することによって開閉可能に形成されたケース本体と、
前記２枚のシート状部材の下辺部の略中央付近であって、前記２枚のシート状部材の対向面に取り付けられた脱着部材と、
前記ケース本体に設けられた眼鏡拭き及び／又はポケットチーフとして使用可能な布部材と
から構成されることを特徴とする眼鏡ケース。
【請求項２】
請求項１に記載の眼鏡ケースにおいて、前記眼鏡拭きとして使用可能な前記布部材が、前記脱着部材を除く前記ケース本体の対向面の両側面を覆うように設けられた略長方形状をしており、
前記ポケットチーフとして使用可能な前記布部材が、前記ケース本体の外側面を覆うように設けられた略長方形状をしていることを特徴とする眼鏡ケース。
【請求項３】
請求項１に記載の眼鏡ケースにおいて、前記眼鏡拭き及び前記ポケットチーフとして使用可能な前記布部材が、前記脱着部材を除く前記ケース本体の対向面全体を覆うように設けられた略長方形状をしていることを特徴とする眼鏡ケース。
【発明の詳細な説明】
【技術分野】
【０００１】
本発明は、眼鏡を収納する眼鏡ケースに係り、特に小型軽量でレンズ部を有効に保護することができると共に眼鏡拭き及び／又はポケットチーフとして使用可能な布を備えた眼鏡ケースに関する。
【背景技術】
【０００２】
眼鏡ケースは、ヒンジなどで連結された合成樹脂等からなる下蓋と上蓋からなるハードケースや皮革、ビニール、布等の素材を袋状又は輪状としたソフトケースなどがあり、眼鏡全体を覆うようにものが主流である。
【０００３】
ところが、眼鏡全体を覆う構成の眼鏡ケースは、眼鏡自体の長さ及び厚みよりも大きくなるように形成してあり、携帯用としては不向きであり、バッグなどに収納しても嵩張るという問題を有する。そこで、眼鏡全体を覆うのではなく、レンズ部のみを覆うように構成した眼鏡ケースとして特許文献１〜３のようなものが提案されている。
【０００４】
特許文献１に記載の眼鏡ケースは、下蓋と上蓋からなるハードケース全体を薄くし、レンズ部のみを収納するような構成にしたものである。
【０００５】
特許文献２に記載の眼鏡ケースは、四角形状の布材等の本体の表裏両面にそれぞれ離間した位置に長尺状の磁気板又は面ファスナーを張り付け、この布材本体でレンズ部を覆うようにして磁気板又は面ファスナーを接着することで蓋をするように構成したものである。
【０００６】
特許文献３に記載の眼鏡ケースは、眼鏡ケースの裏面側（ケース内面側）を眼鏡拭き用布材で形成することによって、眼鏡拭き機能を備えるように構成したものである。
【先行技術文献】
【特許文献】
【０００７】
【特許文献１】実開平０５−０５５９１７号公報
【特許文献２】特開２００３−０００３２７号公報
【特許文献３】実開平０６−０６９９３５号公報
【発明の開示】
【発明が解決しようとする課題】
【０００８】
特許文献１に記載の眼鏡ケースは、全体的な大きさは、従来の眼鏡全体を覆う構成のものに比べて半分程度と小さくすることは可能であるが、携帯用として不向きであり、また、レンズ毎にケース全体の形状を変更しなければならず、種々の大きさのレンズの眼鏡に対応することができない。
【０００９】
特許文献２に記載の眼鏡ケースは、布材等の本体を眼鏡のレンズ部を覆うように巻き付けて磁気板又は面ファスナーで接着してあるだけなので、本体がレンズ部周辺を回転移動する可能性があり、それによって磁気板又は面ファスナーの接着個所も回転移動し、一箇所に留まらず、接着個所を探すのに苦労する。また、眼鏡を収納して居ない状態では、布材等の本体をそのまま携帯すればいいのか、磁気板又は面ファスナーで接着した状態で携帯すればいいのか、または、本体を巻き回して携帯すればよいのか不明であり、バッグなどに収納した場合、布材等の本体が汚れたり、傷んだり、捩じれたり、磁気板又は面ファスナーが剥がれたりする可能性があり、眼鏡ケース本体の収納性能に問題があり、実用的ではない。
【００１０】
特許文献３に記載の眼鏡ケースは、長尺状の布材本体の両端に眼鏡収納用の袋部を設け、この袋部の裏面側に眼鏡拭き用布材を形成したものであり、袋部へ眼鏡を収納する際、取り出す際に困難を伴う。また、眼鏡を収納して居ない状態でバッグなどに収納した場合、布材等の本体が汚れたり、傷んだり、捩じれたりする可能性があり、眼鏡ケース本体の収納性能にも問題があり、実用的ではない。
【００１１】
本発明は、上述の点に鑑みてなされたものであり、眼鏡のレンズ部を確実に保護し、眼鏡の収納及び取り外しが容易であり、ケース本体を他のバッグ等に収納した場合でも破損し難く、ケース本体の収納性能を向上させることのできる眼鏡ケースであって、ＴＰＯに応じて眼鏡拭き及び／又はポケットチーフとして使用することのできる眼鏡ケースを提供することを目的とする。
【課題を解決するための手段】
【００１２】
本発明に係る眼鏡ケースの第１の特徴は、眼鏡の両レンズを覆うような形状の２枚のシート状部材の上辺部に沿った対向面を固着することによって開閉可能に形成されたケース本体と、前記２枚のシート状部材の下辺部の略中央付近であって、前記２枚のシート状部材の対向面に取り付けられた脱着部材と、前記ケース本体に設けられた眼鏡拭き及び／又はポケットチーフとして使用可能な布部材とから構成されることにある。
【００１３】
２枚のシート状部材は、眼鏡の両レンズを覆うような形状とする。この２枚のシート状部材の上辺部に沿った対向面を固着することによって、２枚のシート状部材は、蝶番のように開閉可能な構成となる。また、シート状部材の上辺部に沿った対向面がそれぞれ固着されることによって、２枚のシート状部材には、閉じた状態を維持するような付勢力がそれぞれ架かるようになる。２枚のシート状部材の下辺部の略中央付近のそれぞれの対向面には、脱着部材が取り付けられているので、眼鏡ケースは眼鏡を収納していない状態では、２枚のシート状部材の重なり合った密着した薄いケースとなる。この眼鏡ケースに眼鏡を収納する場合は、脱着部材を外し、２枚のシート状部材の下辺部を開き、両シートを離反させる。離反によって形成された２枚のシート状部材の下辺部に形成された空間部から眼鏡の両レンズ上部を眼鏡ケースの上方に向かって挿通させる。この挿通によって、２枚のシート状部材は眼鏡の両レンズの前後を挟み込むように収納する。眼鏡が収納された状態で、脱着部材を前後から押し付け固着する。これによって、眼鏡ケースは、眼鏡を確実に収納することができるようになる。
【００１４】
このように全体的に薄い構成の眼鏡ケース本体に、眼鏡拭き及び／又はポケットチーフとして使用可能な布部材を取り付けることによって、眼鏡ケースをＴＰＯに応じて眼鏡拭き及び／又はポケットチーフとして使用することができるようになる。この実施の態様としては、眼鏡ケース本体の内側面又は外側面のいずれか一面に眼鏡拭き用の布、ポケットチーフ用の布、及び眼鏡拭き用及びポケットチーフ用のリバーシブル布の少なくとも一つを取り付ける場合、眼鏡ケース本体の内側面及び外側面の両面に眼鏡拭き用の布、ポケットチーフ用の布、又は眼鏡拭き用及びポケットチーフ用のリバーシブル布の少なくとも一つを取り付ける場合が考えられる。なお、リバーシブル布を取り付ける場合は、他の布を設ける必要性は少なくなる。さらに、眼鏡ケースに布を取り付ける場合として、脱着可能に取り付ける場合と脱着不能に固着する場合のいずれでもよい。
【００１５】
本発明に係る眼鏡ケースの第２の特徴は、前記第１の特徴に記載の眼鏡ケースにおいて、前記眼鏡拭きとして使用可能な前記布部材が、前記脱着部材を除く前記ケース本体の対向面の両側面を覆うように設けられた略長方形状をしており、前記ポケットチーフとして使用可能な前記布部材が、前記ケース本体の外側面を覆うように設けられた略長方形状をしていることにある。これは、眼鏡ケース本体の内側面に眼鏡拭き用の布を、外側面にポケットチーフ用の布を取り付けたものである。眼鏡ケース本体の内側面には、脱着部材があるので、眼鏡拭き用の布はこの脱着部材を除くような形状になっている。
【００１６】
本発明に係る眼鏡ケースの第３の特徴は、前記第１の特徴に記載の眼鏡ケースにおいて、前記眼鏡拭き及び前記ポケットチーフとして使用可能な前記布部材が、前記脱着部材を除く前記ケース本体の対向面全体を覆うように設けられた略長方形状をしていることにある。これは、眼鏡ケース本体の対向する内側面全体に眼鏡拭き用及びポケットチーフ用のリバーシブル布を取り付けたものである。この場合もリバーシブル布は脱着部材を除くような形状になっている。
【００１７】
本発明に係る眼鏡ケースの第４の特徴は、前記第１、第２又は第３の特徴に記載の眼鏡ケースにおいて、前記布部材が前記ケース本体に固着されていることにある。これは、布部材をケース本体に脱着不能に取り付ける場合に対応する。
【００１８】
本発明に係る眼鏡ケースの第５の特徴は、前記第１、第２又は第３の特徴に記載の眼鏡ケースにおいて、前記布部材が前記ケース本体に脱着可能に取り付けてあることにある。これは、布部材をケース本体に脱着可能に取り付ける場合に対応する。
【００１９】
本発明に係る眼鏡ケースの第６の特徴は、前記第１から第５までのいずれか１の特徴に記載の眼鏡ケースにおいて、前記２枚のシート状部材は眼鏡の両レンズを覆うような略長方形状をしていることことにある。これは、眼鏡ケースを構成する２枚のシート状部材の形状を略長方形状としたものである。シート状部材の形状は、両レンズを覆うことができる形状であれば、どのようなものでもよいが、略長方形（角に丸みがある）ものが製造し易いし、ケース本体をバック等に収納することが容易となる。
【００２０】
本発明に係る眼鏡ケースの第７の特徴は、前記第６の特徴に記載の眼鏡ケースにおいて、前記２枚のシート状部材の少なくとも一方に、眼鏡のパッドが接触した際に突出可能とする切り込みを設けたことにある。これは、眼鏡のパッドがシート状部材のいずれか一方に接触することによってシート状部材が変形するので、その変形を極力少なくするために、切り込みを設けたものである。なお、切り込みの代わりに、開口を設けてもよい。
【００２１】
本発明に係る眼鏡ケースの第８の特徴は、第６又は第７の特徴に記載の眼鏡ケースにおいて、前記脱着部材は、面ファスナー、磁気板又はフック等から構成されることにある。面ファスナー、磁気板は薄いので、眼鏡ケースが閉じた状態を薄く維持することができる。フックの場合、若干の凹凸はあるが眼鏡ケース全体の薄さを維持可能である。このように薄い眼鏡ケースは、財布などにも収納することができ、ケース本体の収納性能を飛躍的に向上することができる。
【発明の効果】
【００２２】
本発明の眼鏡ケースによれば、眼鏡のレンズ部を確実に保護し、眼鏡の収納及び取り外しが容易であり、ケース本体を他のバッグ等に収納した場合でも破損し難く、ケース本体の収納性能を向上させることができ、ＴＰＯに応じて眼鏡拭き及び／又はポケットチーフとして使用することができるという効果がある。
【図面の簡単な説明】
【００２３】
【図１】本発明の眼鏡ケースの一例を示す図であり、図１（Ａ）は、眼鏡ケース本体１０の構成を点線で示す正面図であり、図１（Ｂ）は、図１（Ａ）の眼鏡ケースの外観形状を示す図である。
【図２】眼鏡ケースが閉じた状態を示す側面図であり、図１（Ａ）の右側から見た図であり、その右側に各構成部品の構成を個別に示す図である。
【図３】眼鏡ケースが眼鏡を収納可能に開いた状態を示す側面図であり、図１（Ａ）の右側から見た図であり、その右側に各構成部品の構成を個別に示す図である。
【図４】図１の眼鏡ケース１のシート状部材を両開きにして、それを下側から見た図である。
【図５】眼鏡拭きとなる布部材をケース本体から取り出した状態を示す図である。
【図６】図１の眼鏡ケースに眼鏡を収納した状態を示す図であり、図６（Ａ）は、眼鏡を収納した眼鏡ケースの正面図、図６（Ｂ）は、図６（Ａ）を右から見た側面図である。
【図７】図１の眼鏡ケースの変形例を示す図であり、図７（Ａ）は、眼鏡ケースの正面図、図７（Ｂ），（Ｃ）は、図７（Ａ）の眼鏡ケースを右から見た側面図、図７（Ｄ）は、図７（Ａ）の眼鏡ケースを裏側から見た裏面図である。
【図８】図７の眼鏡ケースの変形例を示す図であり、眼鏡ケースのシート状部材を両開きにして、それを下側から見た図である。
【図９】スリーピークススタイルのポケットチーフを眼鏡ケースに片辺に取り付けた状態を示す図である。
【発明を実施するための形態】
【００２４】
以下添付図面に従って本発明に係る眼鏡ケースの好ましい実施の形態について説明する。図１は、本発明の眼鏡ケースの一例を示す図であり、図１（Ａ）は、眼鏡ケース本体１０の構成を点線で示す正面図であり、図１（Ｂ）は、図１（Ａ）の眼鏡ケースの外観形状を示す図である。図２は、眼鏡ケースが閉じた状態を示す側面図であり、図１（Ａ）の右側から見た図であり、その右側に各構成部品の構成を個別に示す。図３は、眼鏡ケースが眼鏡を収納可能に開いた状態を示す側面図であり、図１（Ａ）の右側から見た図であり、その右側に各構成部品の構成を個別に示す。
【００２５】
図１において、眼鏡ケース１は、ケース本体１０となる２枚のシート状部材１１，１２と、眼鏡拭きとなる布部材１７と、ポケットチーフとなる布部材１９とから構成される。ケース本体１０となる２枚のシート状部材１１，１２は、図示していない眼鏡の両レンズを覆う程度の大きさをした略長方形状をしている。眼鏡拭きとなる布部材１７は、ケース本体１０となるシート状部材１１，１２の内側面（対向面）の両側を覆うように設けられた略長方形状をしている。ポケットチーフとなる布部材１９は、ケース本体１０となるシート状部材１１，１２の外側面（外周面）全体を覆い、シート状部材１１，１２の左右下辺側に１０〜２０［ｍｍ］程度はみ出す程度の大きさの略長方形状をしている。
【００２６】
ケース本体１０となるシート状部材１１，１２は、皮革、ビニール、布等の形状を維持可能な硬めの素材で構成される。シート状部材１１，１２は、２枚とも同じ形状をしている。シート状部材１１，１２の上辺部は、木綿糸、絹糸、ポリエステル糸、ナイロン糸などで縫い合わせられている。糸の縫い合わせは、ミシンなどの機械縫いでも手縫いでもよい。図１では、糸による縫い合わせ個所１３を一点鎖線で示してある。なお、レンズに接触する部分に保護膜等を設けることができれば、シート状部材１１，１２は、プラスチックなどの柔軟性の高い材質で構成してもよい。
【００２７】
眼鏡ケース１は、シート状部材１１，１２の上辺部に沿った対向面を縫い合わせて固着してある。このように２枚のシート状部材１１，１２の上辺部に沿った対向面を固着することによって、図２の側面図に示すように、蝶番が閉じた状態を維持するような付勢力が２枚のシート状部材１１，１２にそれぞれ架かり、２枚のシート状部材１１，１２は、図２に示すようにそれぞれ密着するようになっている。２枚のシート状部材１１，１２の下辺部の略中央付近には、面ファスナー１４，１５からなる脱着部材が取り付けられている。面ファスナー１４はシート状部材１１側に、面ファスナー１５はシート状部材１２側に、２枚のシート状部材１１，１２の対向面にそれぞれ取り付けられている。すなわち、面ファスナー１４，１５は、眼鏡の鼻パッドのほぼ中間付近に配置されることが好ましい。
【００２８】
面ファスナー１４，１５は、いずれか一方がフック状に起毛されたフック面であり、他方がループ状に密集して起毛されたループ面で構成される。なお、これ以外にも、フック状起毛とループ状起毛の両方が植え込まれ、フック面とループ面との区別のないタイプの面ファスナーを用いてもよい。さらには、マッシュルーム状に起毛されていて結合力が強いクリックタイプ、鋸歯状のシャークバイト（鮫歯）タイプなどを用いてもよい。また、面ファスナーに代えて脱着部材として、磁気板又はフック等を用いてもよい。磁気板は、面ファスナーと同様に薄い板材なので、好ましいが、フック等は若干の凹凸が発生するので、極力薄いフックを使用することが好ましい。
【００２９】
シート状部材１２のほぼ中央付近には、クロス状（Ｘ字形）の切り込み部（スリット）１６が開設されている。この切り込み部１６は、鼻を両脇から挟むように眼鏡を固定する部位のパッド（鼻あて）がシート状部材１２に接触した際に、この切り込み部１６を介して突出可能とするものである。この切り込み部１６によって、シート状部材１２がパッドに接触した際の変形を少なくすることができる。切り込み部１６に代えて、開口を設けてもよい。この開口を鼻パッドの形状に合わせてもよいし、これよりも十分に大きなものでもよい。
【００３０】
図４は、図１の眼鏡ケース１のシート状部材１１，１２を両開きにして、それを下側から見た図である。眼鏡拭きとなる布部材１７は、マイクロファイバーを使ったクリーニングクロスで構成される。布部材１７は、ケース本体１０となるシート状部材１１，１２の内側面（対向面）の両側であって、面ファスナー１４，１５からなる脱着部材を除く個所をほぼ覆うように設けられた略長方形状をしている。布部材１７は、シート状部材１１の片辺に、木綿糸、絹糸、ポリエステル糸、ナイロン糸などで縫い合わせられている。図４では、糸による縫い合わせ個所１８を二点鎖線で示してある。
【００３１】
図５は、眼鏡拭きとなる布部材１７をケース本体１０から取り出した状態を示す図である。なお、布部材１７と布部材１９の一部が交差するので、布部材１９には切り込みを設けることによって、図５のような状態となる。すなわち眼鏡拭きとなる布部材１７がシート状部材１１の片辺のみに取り付けてあるのは、布部材１７をケース本体１０から取り出した場合、図５に示すように、眼鏡拭きとなる布部材１７全体がケース本体１０から露出するので、この眼鏡拭きとしての布部材１７を用いて眼鏡のレンズ面を拭き取るという作業を容易にするためである。なお、布部材１７のシート状部材１１，１２への取り付け位置は任意である。例えば、図４におけるシート状部材１１の下辺側全体、若しくは下辺側の一部、又はシート状部材１２の上辺側全体、若しくは上辺側の一部等に取り付けてあってもよい。また、取り付け方法についても、任意であり、接着剤等で固着してもよいし、面シートを用いて脱着可能に固着してもよい。
【００３２】
ポケットチーフとなる布部材１９は、リネン（麻）、綿、又はシルク（絹）などで構成される。布部材１９は、ケース本体１０となるシート状部材１１，１２の外側面全体（外周面）を覆うように設けられた略長方形状をしている。ポケットチーフとなる布部材１９の大きさは、眼鏡ケース１をスーツの胸ポケットに挿入した際に、ポケットチーフとなる布部材１９が１０〜２０［ｍｍ］程度露出するような大きさとする。例えば、図１において、布部材１９の短辺を男性用スーツの胸ポケットの開口部の幅に応じた約８〜１０［ｃｍ］とし、その長辺を胸ポケットの深さに応じた１０〜１６［ｃｍ］とする。なお、女性用スーツの場合、胸ポットの幅が小さいので、それに合わせて６〜９［ｃｍ］とするのが好ましい。
【００３３】
この実施の形態では、図１（Ｂ）に示すように、ポケットチーフとなる布部材１９の色を右半分と左半分で異ならせている。例えば、フォーマル用として右半分を白色とし、カジュアル用として左半分を青色その他の色とし、適宜その色を変更可能としてもよい。また、シート状部材１１，１２側に対向する個所の色をそれぞれ変更することによって、４色利用可能なポケットチーフとすることができる。
【００３４】
ポケットチーフとなる布部材１９は、シート状部材１１，１２の全面に接着剤等で固着してもよいし、面シートを用いて脱着可能に固着してもよい。脱着可能に固着した場合は、前述のポケットチーフとなる布部材１９の色をフォーマル用又はカジュアル用とＴＰＯに合わせて変更することができるようになる。なお、布部材１９のシート状部材１１，１２への取り付け位置は任意である。例えば、図４におけるシート状部材１１の全面、下辺側全体若しくは下辺側の一部、又はシート状部材１２の全面、上辺側全体若しくは上辺側の一部等に取り付けてあってもよい。
【００３５】
図６は、図１の眼鏡ケースに眼鏡を収納した状態を示す図であり、図６（Ａ）は、眼鏡を収納した眼鏡ケースの正面図、図６（Ｂ）は、図６（Ａ）を右から見た側面図である。図６では、眼鏡は点線で示してある。眼鏡ケース１に眼鏡を収納する場合には、図２に示すように閉じた状態の２枚のシート状部材１１，１２に対して、面ファスナー１４，１５を離反させて、シート状部材１１，１２の下辺部を開く。面ファスナー１４，１５の離反によって、図３に示すように、シート状部材１１，１２の下辺部が開いた状態となるので、この開いた状態のシート状部材１１，１２の下辺部の空間部から眼鏡の両レンズ上部を、図３の矢印２０の方向に沿って挿通させる。この挿通によって、シート状部材１１，１２及び眼鏡拭きとなる布部材１７は、眼鏡の両レンズの前後を挟み込むようになる。眼鏡全体がシート状部材１１，１２及び眼鏡拭きとなる布部材１７に挟み込まれ、収納された状態で、面ファスナー１４，１５を前後から押し付けることによって、眼鏡ケース１は、図６に示すように、眼鏡を確実に収納することができる。この面ファスナー１４，１５の大きさは、眼鏡ケース１のシート状部材１１，１２を固着することができる程度の大きさであればよい。
【００３６】
図７は、図１の眼鏡ケースの変形例を示す図であり、図７（Ａ）は、眼鏡ケースの正面図、図７（Ｂ），（Ｃ）は、図７（Ａ）の眼鏡ケースを右から見た側面図、図７（Ｄ）は、図７（Ａ）の眼鏡ケースを裏側から見た裏面図である。図７において、図１及び図２と同じ構成のものには同一の符号が付してあるので、その説明は省略する。
【００３７】
図７の眼鏡ケースが図１及び図２のものと異なる点は、図１及び図２の眼鏡ケースからポケットチーフとなる布部材１９を省略し、リバーシブル布部材１７Ａに変更した点である。この変形例の眼鏡ケース１Ａでは、片面が眼鏡拭きに適した材質のクリーニングクロスで構成され、その反対面がポケットチーフに適した材質のリネン（麻）、綿、又はシルク（絹）などで構成されたリバーシブル布部材１７Ａを、ケース本体１０となるシート状部材１１，１２の内側面（対向面）の両側であって、面ファスナー１４，１５からなる脱着部材を除く個所をほぼ覆うように設けたものである。通常は、リバーシブル布部材１７Ａの眼鏡拭き側が眼鏡のレンズに接触するようにしてあるので、眼鏡を眼鏡ケースに収納するだけで眼鏡の汚れ等を除去することが可能となる。また、眼鏡ケース１Ａをポケットチーフとして利用する場合には、図５に示すように、リバーシブル布部材１７Ａをケース本体１０から取り出して、ポケットチーフ側の布素材を利用すればよい。
【００３８】
図８は、図７の眼鏡ケースの変形例を示す図であり、眼鏡ケースのシート状部材を両開きにして、それを下側から見た図である。この変形例に係る眼鏡ケース１Ｂは、ケース本体１０を柔軟性のあるプラスチッチ素材を用いて形成し、ケース本体１０の四隅に傾斜角約４５度の切り込み部２１〜２４を設け、この切り込み部２１〜２４にリバーシブル布部材１７Ｂの四隅の角部を差し込んで保持するようにしたものである。リバーシブル布部材１７Ｂを眼鏡拭きとして利用する場合には、リバーシブル布部材１７Ｂを切り込み部から引き抜き、そのまま利用する。リバーシブル布部材１７Ｂをポケットチーフとして利用する場合には、リバーシブル布部材１７Ｂを切り込み部２１，２３から引き抜き、切り込み部２２，２４に差し込まれた状態のリバーシブル布部材１７Ｂを利用する。利用後は、各切り込み部２１〜２４にリバーシブル布部材１７Ｂを差し込んで元の状態に戻すことで、眼鏡ケース１Ｂとして再び利用することができる。
【００３９】
上述の実施の形態において、図１の眼鏡ケース１は、布部材１９がそのまま正方形状のスクエア（ＴＶホールド）として利用でき、図７の眼鏡ケース１Ａは、リバーシブル布部材１７Ａを折り畳むことによって、スクエア（ＴＶホールド）、三角形状のトライアングル（ワンピーク）、パフドスタイルなどとして利用でき、図８の眼鏡ケース１Ｂは、リバーシブル布部材１７Ｂを折り畳むことによって、これ以外のツーピークス（ツインピークス）、スリーピークス、フォーピークス、クラッシュド、バフドクラッシュなどの種々のスタイルとし利用することができる。
【００４０】
図９は、スリーピークススタイルのポケットチーフを眼鏡ケースに片辺に取り付けた状態を示す図である。図９に示すように、予め折り畳んで形成されたスリーピークスタイルのポケットチーフとなる布部材１９Ａを眼鏡ケース１Ｃに取り付けることによって、ＴＰＯに応じて眼鏡ケース１Ｃを種々のスタイルのポケットチーフとして使用することができる。これは、予め折り畳んで形成された上述のような各種スタイルのポケットチーフを板材に固定した物を、図８の眼鏡ケース１Ｂの片辺側の切り込み部２１，２３又は切り込み２２，２４に差し込み可能な構成とすることで実現できる。なお、切り込み部以外に、面ファスナー、磁気板又はフック等の脱着部材を眼鏡ケース１Ｃに設けて，それを利用して好みのスタイルのポケットチーフを眼鏡ケース１Ｃに装着してもよい。
【００４１】
好みのスタイルのポケットチーフをケース本体１０に脱着可能に取り付けてもよいし、脱着不能に固着してもよい。この場合、ケース本体１０を構成するシート状部材１１，１２の両辺にそれぞれ設けることによって、４種類のスタイルのポケットチーフを取り付けることができ、ポケットチートして使用しない場合には、ケース本体１０から取り外し、その内面側に折り込むことで、眼鏡ケース自体の大きさが変わらないようにすることができる。
【００４２】
上述の眼鏡ケース１，１Ａ，１Ｂ，１Ｃを製造する場合、先に面ファスナー１４，１５の取り付けられたシート状部材１１，１２を作成し、収納する眼鏡のサイズ（縦方向の長さ）に応じて、糸による縫い合わせ個所１３を決定し、その後にシート状部材１１，１２を縫い合わせて固着すると、眼鏡のサイズに合致した眼鏡ケース１，１Ａを作成することができる。
【００４３】
ケース本体１０に設けられた切り込み部１６については、収納する眼鏡のパッドの大きさに応じて、切り込み部１６を設けるか否かを決定するようにしてもよい。切り込み部１６は、シート状部材１１，１２のいずれか一方又は両方に設けてもよい。
【００４４】
上述の実施の形態では、シート状部材を糸などで縫い合わせる場合について説明したが、接着剤などで固着するようにしてもよい。また、眼鏡ケース１，１Ａの素材として柔軟性のあるプラスチッチ素材を用いた場合、プラスチック同士を溶かし接着してもよい。
【００４５】
上述の実施の形態では、リバーシブル布部材１７Ａ，１７Ｂを用いる場合について説明したが、眼鏡拭きとしても使えるシルク素材などのポケットチーフを用いてもよい。
【００４６】
上述の実施の形態では略長方形状として、図に示すような長方形の角に丸みを設けたものを示したが、図８及び図９に示すもののように丸みの小さなものや丸みのないものを含むものである。
【符号の説明】
【００４７】
１，１Ａ，１Ｂ，１Ｃ…眼鏡ケース
１０…ケース本体
１０…眼鏡ケース本体
１１，１２…シート状部材
１３，１８…縫い合わせ個所
１４，１５…面ファスナー
１６，２１〜２４…切り込み部
１７…眼鏡拭きとなる布部材
１７Ａ，１７Ｂ…リバーシブル布部材
１９，１９Ａ…ポケットチーフとなる布部材
【図１】
2016093429.tif 000003
【図２】
2016093429.tif 000004
【図３】
2016093429.tif 000005
【図４】
2016093429.tif 000006
【図５】
2016093429.tif 000007
【図６】
2016093429.tif 000008
【図７】
2016093429.tif 000009
【図８】
2016093429.tif 000010
【図９】
2016093429.tif 000011